(57)【特許請求の範囲】
【請求項１】
対をなす髪挟み部を備えているとともに、両髪挟み部はその対向する髪挟み面を除く部分の断面形状が夫々優弧の凸曲面で形成され、一方の髪挟み部の上記髪挟み面を除く断面周長が、他方の髪挟み部の上記髪挟み面を除く断面周長より長く、両髪挟み部の上記断面周長の比が１．５３：１以上であり、断面周長が長い方の髪挟み部の断面形状が髪挟み方向についての厚みが薄い扁平な楕円状であることを特徴とするカール付け対応型ヘアーアイロン。
【請求項２】
各髪挟み部における髪挟み面が平坦面として形成されているとともに、髪挟み面と凸曲面をなす他の部分との間に髪挟み面の方が突出している段差が設けられており、この段差は断面周長が長い方の髪挟み部の方が小であることを特徴とする請求項１記載のカール付け対応型ヘアーアイロン。
【発明の詳細な説明】
【技術分野】
【０００１】
本発明は、ヘアーアイロン、殊に髪にカール付けを行うことができるカール付け対応型ヘアーアイロンに関するものである。
【背景技術】
【０００２】
髪にカール付けを行うことができるヘアーアイロンとしては、特許文献１に示されているように、ほぼ円柱状をなすとともに外周面に髪を巻き付けることができる部材と、この部材の外周面に接触させることができる髪挟み部材とからなるものが知られている。上記部材の外周面に髪を巻き付けて髪を髪挟み部材で押さえるとともに髪に熱を与えることで、髪にカール付けを行う。
【０００３】
ところで、カール付けにあたっては、カールの大きさ（曲率半径）を大きくしたい場合と、小さくしたい場合とがある。これに対して、上記特許文献１に記載のものでは、上記部材の直径でカール付けの大きさが決まってしまうことから、１種類の大きさのカールしか得ることができず、カールの大きさを変えたい場合は、上記部材の直径が異なる他のヘアーアイロンを用いなくてはならない。
【先行技術文献】
【特許文献】
【０００４】
【特許文献１】特開平４―２４４１０７号公報
【発明の概要】
【発明が解決しようとする課題】
【０００５】
本発明は上記問題に鑑みてなされたもので、大きさの異なるカールを容易に得ることができるカール付け対応型ヘアーアイロンを提供することを課題とする。
【課題を解決するための手段】
【０００６】
本発明にかかるカール付け対応型ヘアーアイロンは、対をなす髪挟み部を備えているとともに、両髪挟み部はその対向する髪挟み面を除く部分の断面形状が夫々優弧の凸曲面で形成され、一方の髪挟み部の上記髪挟み面を除く断面周長が、他方の髪挟み部の上記髪挟み面を除く断面周長より長く、両髪挟み部の上記断面周長の比が１．５３：１以上であり、断面周長が長い方の髪挟み部の断面形状が髪挟み方向についての厚みが薄い扁平な楕円状であることに特徴を有している。
【０００７】
断面周長が長い方の髪挟み部の断面形状は扁平な楕円状であることが好ましい。
【０００８】
また、各髪挟み部における髪挟み面が平坦面として形成されているとともに、髪挟み面と凸曲面をなす他の部分との間に髪挟み面の方が突出している段差が設けられており、この段差は断面周長が長い方の髪挟み部の方が小であることが好ましい。
【発明の効果】
【０００９】
髪挟み面で毛髪を挟んでからヘアーアイロンを半回転させて断面周長が長い方の髪挟み部に毛髪を滑らせれば大きめのカールができ、断面周長が短い方の髪挟み部に毛髪を滑らせれば小さめのカールができるものであり、１台のヘアーアイロンで複数の大きさのカール付けを行うことができる。
【図面の簡単な説明】
【００１０】
【図１】本発明の実施の形態の一例の横断面図である。
【図２】同上の正面図である。
【図３】同上の斜視図である。
【図４】同上の開いた状態の正面図である。
【図５】同上の閉じた状態の斜視図である。
【図６】同上の平面図である。
【図７】同上の縦断面図である。
【図８】同上の底面図である。
【図９】同上のカール径比と断面周長比との説明図である。
【発明を実施するための形態】
【００１１】
本発明を図示実施例に基づいて詳述すると、図２以下に示すように、図示例のヘアーアイロン１は対をなす髪挟み部２，３の一端同士を軸４で回動自在に連結したもので、両髪挟み部２，３間に配した図７に示すばね５で両髪挟み部２，３を互いに開く方向に付勢している。また、両髪挟み部２，３の対向面には、ＰＴＣヒータなどを熱源とする加熱部２０，３０を配している。図中７はスイッチである。
【００１２】
そして両加熱部２０，３０における対向面となる髪挟み面２１，３１は、それぞれ平坦面としているのに対して、両髪挟み部２，３における髪挟み面２１，３１を除く断面形状は、図１から明らかなように、共に凸曲面をなすものとしている。
【００１３】
また、両髪挟み部２，３のうち、髪挟み部２は髪挟み部３よりも大きな断面形状をしているとともに、髪挟み部３の髪挟み面３１を除く断面形状がほぼ半円状であるのに対して、髪挟み部２の髪挟み面２１を除く断面形状は扁平な楕円状としてある。
【００１４】
髪にカール付けを行うにあたっては、加熱された髪挟み面２１，３１間に髪を挟んだ状態でヘアーアイロン１を半回転させて髪挟み部２もしくは髪挟み部３に髪を滑らせることで髪にカールを付けるのであるが、髪挟み部２側に髪を滑らせることで大きなカールを得ることができ、半回転させる方向を変えて髪挟み部３側に髪を滑らせることで、小さなカールを得ることができる。
【００１５】
また、このヘアーアイロン１では、加熱部２０，３０の髪挟み面２１，３１を平坦面で形成しているために、髪挟み面２１，３１で髪を挟んだ状態で髪の流れに沿ってヘアーアイロン１を動かすことで、縮毛矯正あるいはストレートな癖付けを行うこともできる。
【００１６】
ここで、両髪挟み部２，３における平坦面となっている各髪挟み面２１，３１を除く部分の断面周長は、髪挟み部２の断面周長Ｌ２と髪挟み部３の断面周長Ｌ３との比が１．５３：１以上、好ましくは１．５８：１以上であることが望ましい。
【００１７】
これは、髪挟み部２の断面周長Ｌ２と髪挟み部３の断面周長Ｌ３との比を漸次変えて、得られる髪のカールの径を測定したところ、髪挟み部２の断面周長Ｌ２が髪挟み３の断面周長Ｌ３の１．５３倍〜１．５８倍の間で、得られるカールの径が急激に大きくなり、１．５８倍以上であれば、断面周長の増加に対するカール径の増加の比が１．５３倍未満の時よりも大きくなるという実験結果（図９参照）が得られたためである。
【００１８】
なお、断面周長Ｌ２，Ｌ３の絶対値によって得られるカール径の値が変化するのはもちろんであるが、カール付けを目的とした範囲内においては、断面周長Ｌ２，Ｌ３の絶対値に関係なく、ほぼ図９に示す結果を得られた。
【００１９】
ちなみに図示例は、髪挟み面２１，３１の幅が１８ｍｍ、髪挟み部２の断面周長Ｌ２が７４．４ｍｍ、髪挟み部３の断面周長Ｌ３が４７ｍｍのもの（断面周長Ｌ２，Ｌ３の比が１．５８：１）のものを示している。
【００２０】
なお、髪挟み部２の断面形状を扁平な楕円状としているのは、髪挟み部２のサイズ（厚み）を大きくすることなく断面周長Ｌ２を長くすることができるためである。
【００２１】
また、各髪挟み部２，３における髪挟み面２１，３１は、髪挟み部２，３の髪挟み面２１，３１を除く部分よりも一段突出していて、両者の間には夫々段差ｄ２，ｄ３を設けているのであるが、断面周長Ｌ２が長い髪挟み部２における段差ｄ２は、断面周長Ｌ３が短い髪挟み部３における段差ｄ３よりも小さくしている。髪挟み面２１と、髪挟み面２１を除く他の部分との接線角度を大きくすることができるために、大きなカールを得ることについて有利となるからである。ちなみに図示例のものでは、ｄ２＝０．７ｍｍ、ｄ３＝１．７ｍｍとしている。
【符号の説明】
【００２２】
１  ヘアーアイロン
２  髪挟み部
３  髪挟み部
６  櫛歯
２０  加熱部
３０  加熱部
２１  髪挟み面
３１  髪挟み面
【図１】
0005903618.tif 000002
【図２】
0005903618.tif 000003
【図３】
0005903618.tif 000004
【図４】
0005903618.tif 000005
【図５】
0005903618.tif 000006
【図６】
0005903618.tif 000007
【図７】
0005903618.tif 000008
【図８】
0005903618.tif 000009
【図９】
0005903618.tif 000010